(57)【要約】【課題】労力や時間を低減して、道路幅や敷地が狭小な場合であっても構築することができると共に、重厚感を与える塀構造を構築できる塀材を提供する。【解決手段】支柱１０と塀パネルを備える塀材において、支柱を、平板状のベース面部１２ａと、長尺で断面がコ字形の主柱部１１とがＬ字形をなし、主柱部として、ベース面部の延びる方向を前後方向とすると共に主柱部が延びる方向を上下方向としたときに、コ字形の開口を左右方向の何れかに向けている主柱部を少なくとも一つ備え、ベース面部にアンカー用孔部１２ｈが貫設されている構成とすると共に、塀パネルを、横材と縦材とが組み付けられたフレームの開口を、両側からパネル材が被覆している中空構造とする。【選択図】図３
2020148056.tif 000002
【特許請求の範囲】
【請求項１】
隣接している支柱間に塀パネルが保持されている塀構造であり、
前記支柱は、平板状のベース面部と長尺で断面がコ字形の主柱部とがＬ字形をなし、該主柱部として、前記ベース面部の延びる方向を前後方向とすると共に前記主柱部が延びる方向を上下方向としたときに、前記コ字形の開口を左右方向の何れかに向けている前記主柱部を少なくとも一つ備えているものであり、
前記塀パネルは、横材と縦材とが組み付けられたフレームの開口を、両側からパネル材が被覆している中空構造であり、
前記ベース面部を地面に当接させた状態で、前記ベース面部を貫通したアンカーが地中に埋設されていることによって前記支柱が地面から立設しており、
隣接している前記支柱であって、それぞれの前記主柱部の前記コ字形の開口が向き合うように配置されている前記支柱の間に、前記コ字形の開口に落とし込まれることによって前記塀パネルが保持されている
ことを特徴とする塀構造。
【請求項２】
支柱と塀パネルを備える塀材であり、
前記支柱は、平板状のベース面部と長尺で断面がコ字形の主柱部とがＬ字形をなし、該主柱部として、前記ベース面部の延びる方向を前後方向とすると共に前記主柱部が延びる方向を上下方向としたときに、前記コ字形の開口を左右方向の何れかに向けている前記主柱部を少なくとも一つ備え、前記ベース面部にアンカー用孔部が貫設されているものであり、
前記塀パネルは、横材と縦材とが組み付けられたフレームの開口を、両側からパネル材が被覆している中空構造である
ことを特徴とする塀材。
【請求項３】
前記塀パネルは、前記パネル材の外表面に不織布層を備えており、
該不織布層には、糸による縫い目が形成されている
ことを特徴とする請求項２に記載の塀材。
【請求項４】
請求項２または請求項３に記載の塀材を使用した塀の構築方法であり、
前記ベース面部を地面に当接させた状態で、前記アンカー用孔部を挿通させたアンカーを地中に埋設することにより、
隣接させる前記支柱それぞれの前記主柱部の前記コ字形の開口が向き合うように、前記支柱を前記地面から立設させ、
隣接している前記支柱それぞれの前記主柱部の前記コ字形の開口に前記塀パネルを落とし込むことによって、前記塀パネルを前記支柱に保持させる
ことを特徴とする塀の構築方法。
【発明の詳細な説明】
【技術分野】
【０００１】
本発明は、塀構造、該塀構造を構成する塀材、及び、該塀材を使用した塀の構築方法に関するものである。
【背景技術】
【０００２】
隣接する住宅との境界、住宅と道路との境界などに設けられ、他者の出入りを防止すると共に視野を遮蔽する塀としては、従来、コンクリートブロック塀や、現場でコンクリートを打設する湿式コンクリート塀が多用されている。また、プレキャストコンクリートパネルを工場で製造し、現場に輸送して施工する乾式コンクリート塀も用いられている。
【０００３】
しかしながら、コンクリートブロック塀は、鉄筋を縦横に配設し、モルタルを充填しながらブロックを積み上げて構築するため、現場での作業に多大な手間と時間を要するものであった。また、湿式コンクリート塀の場合も、縦横に鉄筋を組み上げた上で鉄筋を挟むように型枠を設置して型枠内にコンクリートを流し込み、コンクリートが硬化・乾燥してから型枠を取り外すという現場での作業に、多大な手間と時間を要するものであった。一方、乾式コンクリート塀の場合は、現場でコンクリートを硬化・乾燥させる時間を省き、施工期間を短縮することはできるものの、重量物であるプレキャストコンクリートパネルを輸送して現場で施工するために、大型の輸送車やクレーンを必要とすると共に、多人数の作業者を要するという問題があった。
【０００４】
加えて、周辺の道路幅が狭い場所や、余剰の敷地面積が小さい場所など、大型の輸送車やクレーンが進入できない場所には、大型の型枠を要する湿式コンクリート塀や、重量物であるプレキャストコンクリートパネルを用いた乾式コンクリート塀は施工できないという問題があった。
【０００５】
更に、コンクリートブロック塀やコンクリート塀の場合は、倒壊を防止すべく所定の強度を保つために、鉄筋の間隔、塀の高さや厚さ、基礎の根入れ深さ等、種々の基準が法律等で定められているが、現行の基準を満たさない古い塀が、全国には多量に残存している。近年、大規模な地震による甚大な被害が相次いだことにより、現行の基準を満たさない古い塀に対しては、解体・撤去して新たな塀に造り替えることが要請されているが、新たな塀の施工には上記のような問題があるため、塀の造り替えが進んでいないのが実情である。仮に、新たな塀を、労力や時間を低減して、道路幅や敷地が狭小な場合であっても構築することができれば、塀の造り替えも促進されると考えられる。
【０００６】
一方、金属製や木製のフェンス（柵、板囲い）は、労力や時間をさほど要することなく、道路幅や敷地が狭小な場合であっても構築することが可能であるが、塀に重厚感を求める需要者には好まれないという事情がある。
【０００７】
そこで、本出願人は過去に、労力や時間を低減して、道路幅や敷地が狭小な場合であっても構築することができると共に、重厚感を与える塀構造、及び、その構築のための塀材を提案し、実施している（例えば、特許文献１参照）。本発明は、同じコンセプトの塀構造及び塀材のバリエーションを増やすための更なる検討の結果、なされたものである。
【先行技術文献】
【特許文献】
【０００８】
【特許文献１】特開２０１８−１３５７０３
【発明の概要】
【発明が解決しようとする課題】
【０００９】
そこで、本発明は、上記のように、労力や時間を低減して、道路幅や敷地が狭小な場合であっても構築することができると共に、重厚感を与える塀構造、該塀構造を構成する塀材、及び、該塀材を使用した塀の構築方法の提供を、課題とするものである。
【課題を解決するための手段】
【００１０】
上記の課題を解決するため、本発明にかかる塀構造は、
「隣接している支柱間に塀パネルが保持されている塀構造であり、
前記支柱は、平板状のベース面部と長尺で断面がコ字形の主柱部とがＬ字形をなし、該主柱部として、前記ベース面部の延びる方向を前後方向とすると共に前記主柱部が延びる方向を上下方向としたときに、前記コ字形の開口を左右方向の何れかに向けている前記主柱部を少なくとも一つ備えているものであり、
前記塀パネルは、横材と縦材とが組み付けられたフレームの開口を、両側からパネル材が被覆している中空構造であり、
前記ベース面部を地面に当接させた状態で、前記ベース面部を貫通したアンカーが地中に埋設されていることによって前記支柱が地面から立設しており、
隣接している前記支柱であって、それぞれの前記主柱部の前記コ字形の開口が向き合うように配置されている前記支柱の間に、前記コ字形の開口に落とし込まれることによって前記塀パネルが保持されている」ものである。
【００１１】
本発明にかかる塀構造は、次の構築方法により構築することができる。すなわち、
「前記ベース面部を地面に当接させた状態で、アンカー用孔部を挿通させたアンカーを地中に埋設することにより、
隣接させる前記支柱それぞれの前記主柱部の前記コ字形の開口が向き合うように、前記支柱を前記地面から立設させ、
隣接している前記支柱それぞれの前記主柱部の前記コ字形の開口に前記塀パネルを落とし込むことによって、前記塀パネルを前記支柱に保持させる」構築方法である。
【００１２】
本構成の塀構造は、複数の支柱を地面から立設させ、支柱間に塀パネルを落とし込むように挿入することによって構築されるものである。支柱も塀パネルも予め工場で製造しておくことができ、施工現場で塀パネル同士を固着させる作業を要しない。従って、従来のコンクリートブロック塀や湿式コンクリート塀と比べて、労力や時間を大幅に低減して塀構造を構築することができる。
【００１３】
また、塀パネルはフレームがパネル材で被覆された中空構造であるため、非常に軽量である。そのため、サイズの設定により、一人または二人の作業者が人力で運搬することが可能である。従って、道路幅や敷地面積が狭小で、大型の輸送車やクレーンが進入でできない施工現場であっても、問題なく塀構造を構築することができる。
【００１４】
また、本実施形態の塀構造は、ベース面部の延びる方向を、塀を構築する施主の領域の内方に向かう方向とすることにより、構築作業の全てを施主の領域で行うことができる。そのため、塀の構築に当たり、他者の管理下にある領域に入る許可を得るなどの煩雑な手続きが不要である。
【００１５】
更に、塀パネルは軽量な中空構造でありながら、横材と縦材を組み付けることにより機械的強度が高められたフレームを備えているため、地震による振動や、台風等で強風を受けても、変形したり破断したりしない堅固な塀構造を構築することができる。
【００１６】
加えて、塀パネルを保持する支柱は、主柱部とベース面部とがＬ字形をなしており、ベース面部を貫通したアンカーが地中に埋設されているため、支柱が地面に強固に固定されており、塀構造が極めて頑丈で倒壊しにくい。
【００１７】
更に、塀構造を構成する塀パネルは中空構造であるが、パネル材でフレームを被覆していることにより外観からは中空構造であることは分からない。そのため、金属製や木製のフェンスに比べて重厚感を与える塀を構築することができる。
【００１８】
次に、本発明にかかる「塀材」は、
「支柱と塀パネルを備える塀材であり、
前記支柱は、平板状のベース面部と長尺で断面がコ字形の主柱部とがＬ字形をなし、該主柱部として、前記ベース面部の延びる方向を前後方向とすると共に前記主柱部が延びる方向を上下方向としたときに、前記コ字形の開口を左右方向の何れかに向けている前記主柱部を少なくとも一つ備え、前記ベース面部にアンカー用孔部が貫設されているものであり、
前記塀パネルは、横材と縦材とが組み付けられたフレームの開口を、両側からパネル材が被覆している中空構造である」ものである。
【００１９】
これは、上記の塀構造を構成すると共に、上記の塀の構築方法に使用される塀材である。
【００２０】
また、本発明にかかる「塀材」は、上記構成に加え、
「前記塀パネルは、前記パネル材の外表面に不織布層を備えており、
該不織布層には、糸による縫い目が形成されている」ものとすることができる。
【００２１】
本構成では塀パネルの外表面は、毛羽立った不織布層であり、更に糸による縫い目によって微細な凹凸が形成されている。毛羽立ちに加えて縫い目による微細な凹凸を有していることにより、塀パネルに対する化粧層の接着性を高めることができる。化粧層は、塗料の塗布や吹付けを行うことにより、或いは、タイルなど表面材を貼り付けることにより設けることができ、化粧層と不織布層との間に下地剤の層を設けても良い。
【発明の効果】
【００２２】
以上のように、本発明の効果として、労力や時間を低減して、道路幅や敷地が狭小な場合であっても構築することができると共に、重厚感を与える塀構造、該塀構造を構成する塀材、及び、該塀材を使用した塀の構築方法を提供することができる。
【図面の簡単な説明】
【００２３】
【図１】本発明の一実施形態の塀構造の斜視図である。
【図２】（ａ）支柱１０Ａの側面図、及び、（ｂ）支柱１０Ａを中央で切断した縦断面図である。
【図３】（ａ）支柱１０Ａの要部平面図、（ｂ）支柱１０Ｂの要部平面図、（ｃ）支柱１０Ｃの要部平面図、及び、（ｄ）支柱１０Ｄの要部平面図である。
【図４】塀パネルの分解斜視図である。
【図５】塀構造の構築方法を説明する分解斜視図である。
【図６】（ａ）アンカーの埋設を説明する要部断面図（側面視）、及び（ｂ）アンカーの埋設を説明する要部断面図（正面視）である。
【発明を実施するための形態】
【００２４】
以下、本発明の一実施形態である塀構造、該塀構造を構成する塀材、及び、該塀材を使用した塀の構築方法について、図面を用いて説明する。
【００２５】
まず、塀材の構成について説明する。本実施形態の塀材は、支柱１０と、アンカー２０と、塀パネル３０とを具備している。支柱１０には、後述するように複数の種類があるが、特に区別する必要がない場合は「支柱１０」と総称している。
【００２６】
複数種類の支柱１０は、共通する構成として、ベース部１２と、一以上の主柱部１１とを備えている。ベース部１２は、細長い長方形で平板状のベース面部１２ａと、ベース面部１２ａの一対の長辺からベース面部１２ａに対して直角に立ち上がった一対の立壁部１２ｂを備えており、ベース面部１２ａが延びる方向に直交する方向の断面は単一のコ字形である。ベース面部１２ａには、複数のアンカー用孔部１２ｈが貫設されている。ベース面部１２ａは、地面に当接させる部分である。
【００２７】
一つの主柱部１１は、細長い長方形で平板状の中間壁部１１ａと、中間壁部１１ａの一対の長辺から中間壁部１１ａに対して直角に延出した一対の側壁部１１ｂを備えており、中間壁部１１ａが延びる方向に直交する方向の断面は単一のコ字形である。ベース部１２の長手方向（ベース面部１２ａが延びる方向）と主柱部１１の長手方向（中間壁部１１ａが延びる方向）とは直角をなしており、主柱部１１はベース部１２と共にＬ字形を形成している。
【００２８】
支柱１０には、主柱部１１を二つ備える支柱１０Ａ，１０Ｂと、主柱部１１を一つ備える支柱１０Ｃ，１０Ｄとがある。以下では、「左方向」及び「右方向」を用いて支柱１０の種類を説明するが、ここでの「左右」は、ベース部１２の長手方向を前後方向とし、主柱部１１の長手方向を上下方向としたときの左右である。
【００２９】
まず、支柱１０Ａは、図３（ａ）に示すように、コ字を右方向に開口させている主柱部１１と、コ字を左方向に開口させている主柱部１１とが、互いの中間壁部１１ａを重ね合わせた状態で、ベース部１２と一体化されているものである。
【００３０】
支柱１０Ｂは、図３（ｂ）に示すように、コ字を右方向または左方向に開口させている主柱部１１の中間壁部１１ａと、コ字を前方向に開口させている主柱部１１の側壁部１１ｂとが重ね合わされた状態で、ベース部１２と一体化されているものである。ここでは、主柱部１１の一つが右方向に開口している場合を図示しており、右方向に開口している主柱部１１の中間壁部１１ａが、ベース面部１２ａにおける左側の長辺の延長線上に位置している。主柱部１１の一つが左方向に開口している場合の支柱１０Ｂは、左方向に開口している主柱部１１の中間壁部１１ａが、ベース面部１２ａにおける右側の長辺の延長線上に位置するように形成される。
【００３１】
支柱１０Ｃは、図３（ｃ）に示すように、一つの主柱部１１がコ字を左方向に開口させて、その中間壁部１１ａがベース面部１２ａにおける右側の長辺の延長線上に位置するように、ベース部１２と一体化されているものである。一方、支柱１０Ｄは、図３（ｄ）に示すように、一つの主柱部１１がコ字を右方向に開口させて、その中間壁部１１ａがベース面部１２ａにおける左側の長辺の延長線上に位置するように、ベース部１２と一体化されているものである。
【００３２】
何れの支柱１０も、中間壁部１１ａにおいてベース面部１２ａを延長した面から所定の高さに、塀パネル３０を載置するための平板状の載置台１３が、中間壁部１１ａの長手方向に対して直角をなすように取り付けられている。また、支柱１０では、Ｌ字形の角部に相当する部分で、ベース部１２と主柱部１１とが三角形の補強板１９によって連結されており、機械的強度が高められている。
【００３３】
なお、支柱１０の高さは、構築する塀の高さに応じて設定されるものであり、載置台１３から主柱部１１の上端までの高さを、塀パネル３０の高さの複数倍とする。
【００３４】
塀パネル３０は、横材３１ａと縦材３１ｂとを組み付けたフレーム３１と、フレーム３１の開口を両側から被覆しているパネル材３２と、パネル材３２の外表面を被覆している不織布層３２ｃとを、主要な構成とする。
【００３５】
フレーム３１はアルミニウム製で、縦材３１ｂの一対と、縦材３１ｂより長い横材３１ａで長方形の枠を形成した上で、一対の横材３１ａ間を更に複数の縦材３１ｂで連結することにより形成されている。フレーム３１には、その開口が前後方向に開口し、横材３１ａの延びる方向が左右方向となる状態としたときに、上側となる横材３１ａの上面に位置決め孔３１ｈが穿設されており、下側となる横材３１ａの下面から位置決めピン３１ｐが下方に向かって突設されている。
【００３６】
パネル材３２は、外形がフレーム３１の外形とほぼ等しい長方形の平板である。パネル材３２は、ハニカム構造で樹脂製のコア材３２ａの両面を樹脂シート３２ｂで被覆したものであり、厚さ１０ｍｍ〜２０ｍｍという薄板で軽量でありながら、高い曲げ強度と高い曲げ剛性を有している。
【００３７】
塀パネル３０は、フレーム３１の開口を両側からパネル材３２で被覆したものである。パネル材３２は、その外表面に更に不織布層３２ｃを有しており、樹脂シート３２ｂ、コア材３２ａ、及びフレーム３１における空間を介して、両側の不織布層３２ｃを樹脂製の糸で縫い合わせることにより、不織布層３２ｃの外表面に多数の縫い目３２ｓが表れている。塀パネル３０全体の厚さは、支柱１０の主柱部１１におけるコ字の開口幅、すなわち一対の側壁部１１ｂ間の距離より僅かに短く設定されている。
【００３８】
アンカー２０は、長尺棒状で下端が尖っており、少なくとも上端に雄ネジが形成されていると共に、残部の表面には摩擦力を高める凹凸が形成されている。アンカー２０は、耐腐食性、防錆性に優れると共に、引張強度が高い材料で形成されていることが望ましい。アンカー２０の上端の雄ネジは、ナット２５と螺合するものである。
【００３９】
次に、上記構成の塀材を使用した塀構造の構築について説明する。ここでは、塀を構築することによって二つの領域を区画する場合であって、塀を構築する施主の管理下にある領域（以下、「施主領域」と称する）と他者の管理下にある領域とを、塀によって区画する場合を例示する。
【００４０】
まず、塀を構築するライン（以下、「施工ライン」と称する）に沿って、支柱１０を地面から立設させる。ここで、施主領域側から施工ラインを見たとき、支柱１０Ｃは施工ラインの右端に配置し、支柱１０Ｄは施工ラインの左端に配置し、支柱１０Ｂは施工ラインが直角に屈曲する角部に配置する。そして、支柱１０Ａは、施工ラインにおいて両側に塀が延びるべき中途の位置に配置される。
【００４１】
更に、各支柱１０の主柱部１１における中間壁部１１ａの中心線（上下方向の中心線）が、施工ライン上に位置し、且つ、各支柱１０のベース部１２が施主領域の内方に向かって延び、施工ラインと直交するように配置する。施工ラインの角部に配置される支柱１０Ｂの場合は、直交する二つの施工ラインの一方とベース部１２の長手方向が直交するように配置する。上記のように配置された支柱１０では何れも、主柱部１１のコ字が開口する方向が施工ラインの延びる方向に一致する。隣接する支柱１０間の距離は、塀パネル３０の長手方向の長さにクリアランスを加えた距離とする。
【００４２】
支柱１０を地面から立設させるのに先立ち、地面に当接させるベース面部１２ａに穿設されている複数のアンカー用孔部１２ｈの真下となる位置に、アンカー用孔部１２ｈより大きく地中孔部４０ｈを掘る。地中孔部４０ｈの深さは、アンカー２０の長さより大きい設定とする。
【００４３】
そして、地中孔部４０ｈにアンカー２０を挿し込んだ状態で、地中孔部４０ｈ内に充填材を流し込み充填する。或いは、地中孔部４０ｈに充填材を流し込み、硬化しないうちにアンカー２０を挿し込む。充填材は地中孔部４０ｈの開口縁に達するまで充填し、充填材層４１の表面を地面と同一面とする。アンカー２０の上端は地面より突出させる。その突出長さは、ベース部１２の厚さとナット２５の高さの和より僅かに大きな長さとする。なお、充填材としては、コンクリート、モルタル、セメント、樹脂系接着剤を使用することができる。
【００４４】
充填材層４１が硬化したら、ベース面部１２ａを地面に当接させつつ、ベース面部１２ａの下方からアンカー用孔部１２ｈにアンカー２０の上端を挿通する。アンカー用孔部１２ｈは長孔であるため、地中孔部４０ｈに埋設されたアンカー２０の位置が多少ずれていたとしても、アンカー用孔部１２ｈに挿通することができる。そして、アンカー用孔部１２ｈを挿通しているアンカー２０の上端の雄ネジに、ナット２５を螺合させて締め付ける。その際、ナット２５とベース面部１２ａとの間にワッシャ２６を挟めば、安定的にナット２５で留め付けることができる。
【００４５】
このように、アンカー２０によってベース部１２を地面に固定することにより、支柱１０を地面から立設させることができる。
【００４６】
上記のように、何れの支柱１０においても、主柱部１１のコ字が開口している方向は施工ラインの延びる方向に一致している。例えば、図１に示すように、二本の施工ラインＬ１，Ｌ２が直角をなしており、施主領域側から一方の施工ラインＬ１が左右に延びるように見たとき、施工ライＬ１の右端に支柱１０Ｃが配置されていると共に、施工ラインＬ１の左端に支柱１０Ｂが配置されており、その間に二つの支柱１０Ａが配置されている場合を例とする。また、図１の例では、施主領域側から他方の施工ラインＬ２が左右に延びるように見たとき、上記の支柱１０Ｂが右端に位置し、施工ラインＬ２の左端に支柱１０Ｄが配置されていると共に、間に一つの支柱１０Ａが配置されている。
【００４７】
そうすると、施工ラインＬ１の右端の支柱１０Ｃが一つ有する主柱部１１のコ字は左方向に向かって開口しており、その左側に隣接している支柱１０Ａでは、二つの主柱部１１のうち一方が右方向に開口している。また、隣接している二つの支柱１０Ａ間では、右側の支柱１０Ａの二つの主柱部１１のうち一方が左方向に開口しており、左側の支柱１０Ａの二つの主柱部１１のうち一方が右方向に開口している。更に、支柱１０Ｂの二つの主柱部１１のうち、一方は施工ラインＬ１において右方向に開口しており、他方の主柱部１１は施工ラインＬ２において左方向に開口している。施工ラインＬ２の左端の支柱１０Ｄでは一つの主柱部１１が右方向に開口しており、施工ラインＬ２において支柱１０Ｄと支柱１０Ｂとの間に配置されている支柱１０Ａでは二つの主柱部１１が左右に開口している。
【００４８】
つまり、何れの施工ラインにおいても隣接している支柱１０では、それぞれの主柱部１１はコ字を向かい合わせるように開口させている。そこで、隣接している支柱１０それぞれの主柱部１１の開口に、塀パネル３０の一対の短辺をそれぞれ沿わせて、塀パネル３０を落とし込むように挿入することができる（図５参照）。塀パネル３０は、支柱１０の高さに応じて、複数枚を挿入することにより複数段に積重する。その際、下段の塀パネル３０においてフレーム３１の上面に形成されている位置決め孔３１ｈに、上段の塀パネル３０においてフレーム３１の下面から突出している位置決めピン３１ｐを挿入することにより、複数の塀パネル３０の表面が同一面となるように整然と積重することができる。
【００４９】
すべての支柱１０間に塀パネル３０を同様に挿入することにより、塀構造の構築が完了するが、地面から支柱１０における載置台１３の下面の高さまでコンクリートを打設しても良い（図６（ａ），（ｂ）参照）。このようにすることにより、コンクリート層４２にベース部１２が埋設されると共に、地表面ＧＬと塀パネル３０との間に隙間が無いものとなり、外観の良い塀構造となる。最下段の塀パネル３０から下方に突出している位置決めピン３１ｐは、コンクリート層４２に埋設されるため、コンクリート層４２によっても塀パネル３０が支持される。
【００５０】
なお、同一の施工ライン上にある全ての支柱１０の上端に、笠木を架け渡すことにより、積層構造の塀パネル３０の内部に雨水が浸入することを防止することができると共に、塀構造の外観も良いものとなる。
【００５１】
また、各支柱１０において、主柱部１１の一対の側壁部１１ｂのうち施主領域の内方に面している側壁部１１ｂに、ビス孔１１ｈが形成されている。このビス孔１１ｈを介して塀パネル３０にビスを打ち込むことにより、隣接している支柱１０間に塀パネル３０が保持されている状態を安定させることができる。
【００５２】
塀パネル３０の外表面には、塗料の塗布や吹付けを行うことにより、或いは、タイルなどの表面材を貼り付けることにより、化粧層を設けることができる。塀パネル３０の外表面は不織布層３２ｃであり、毛羽立っていると共に多数の縫い目３２ｓによって微細な凹凸が多数形成されている。これにより、塀パネル３０に対する化粧層の接着性を高めることができる。
【００５３】
上記のように、本実施形態の塀構造は、複数の支柱１０を地面から立設させ、支柱１０間に塀パネル３０を落とし込むように挿入することによって構築されるものである。支柱１０も塀パネル３０も予め工場で製造しておくことができ、施工現場で塀パネル３０同士を固着させる作業を要しない。従って、従来のコンクリートブロック塀や湿式コンクリート塀と比べて、労力や時間を大幅に低減して塀構造を構築することができる。
【００５４】
また、塀パネル３０はフレーム３１がパネル材３２で被覆された中空構造で、フレーム３１はアルミニウム製であるため、非常に軽量である。そのため、サイズの設定により、一人または二人の作業者が人力で運搬することが可能である。従って、道路幅や敷地面積が狭小で、大型の輸送車やクレーンが進入でできない施工現場であっても、問題なく塀構造を構築することができる。
【００５５】
また、本実施形態の塀構造は、構築作業の全てを施主領域で行うことができるため、他者の管理下にある領域に入る許可を得るなどの煩雑な手続きが不要である。
【００５６】
更に、塀パネル３０は軽量な中空構造でありながら、横材３１ａと縦材３１ｂを組み付けることにより機械的強度が高められた金属製のフレーム３１を備えているため、地震による振動や、台風等で強風を受けても、変形したり破断したりしない堅固な塀構造を構築することができる。
【００５７】
加えて、塀パネル３０を保持する支柱１０は、主柱部１１とベース部１２とがＬ字形をなしており、ベース部１２に締結された長いアンカー２０が地中に埋設されるため、支柱１０が地面に強固に固定されており、塀構造が極めて頑丈で倒壊しにくい。
【００５８】
更に、塀構造を構成する塀パネル３０は中空構造であるが、外観からは中空構造であることは分からないため、金属製や木製のフェンスに比べて重厚感を与える塀を構築することができる。
【００５９】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００６０】
例えば、高さ方向に積重される塀パネル３０の数は、図面に示した数に限定されない。また、上記の支柱１０の配置は単なる例示である。例えば、支柱１０Ｃと支柱１０Ｄとの間に塀パネル３０を保持させるのみにより、長さの短い塀構造を構築することができ、支柱１０Ｃと支柱１０Ｄとの間に支柱１０Ｂを配置し、支柱１０Ｃと支柱１０Ｂとの間、及び、支柱１０Ｃと支柱１０Ｂと支柱１０Ｄとの間に塀パネル３０を保持させるのみにより、角部を有する短い塀構造を構築することができる。
【符号の説明】
【００６１】
１０  支柱
１０Ａ  支柱
１０Ｂ  支柱
１０Ｃ  支柱
１０Ｄ  支柱
１１  主柱部
１２  ベース部
１２ａ  ベース面部
１２ｈ  アンカー用孔部
２０  アンカー
３０  塀パネル
３１  フレーム
３１ａ  横材
３１ｂ  縦材
３２  パネル材
３２ｃ  不織布層
３２ｓ  縫い目
【図１】
2020148056.tif 000003
【図２】
2020148056.tif 000004
【図３】
2020148056.tif 000005
【図４】
2020148056.tif 000006
【図５】
2020148056.tif 000007
【図６】
2020148056.tif 000008